(57)【要約】【課題】導光体の他端部で発生する点光りを抑制することができる車両用灯具を提供する。【解決手段】ランプケースと、前記ランプケース内に配置される導光体と、前記導光体内を導光される光を発光する光源と、を備え、前記導光体は、正面側に配置される前面とその反対側の背面側に配置される後面とを含み、一端部からその反対側の他端部に向かって延びた導光体であり、前記光源は、前記導光体の一端部から前記導光体内に入光し、前記導光体の他端部に向けて前記導光体内を導光され、前記導光体の前面から出射する光を発光し、前記導光体は、さらに、当該導光体内を導光され当該導光体の前記他端部に達した前記光源からの光を拡散光として出射する終端部を含むことを特徴とする。【選択図】  図４
2020068111.tif 000002
【特許請求の範囲】
【請求項１】
ランプケースと、
前記ランプケース内に配置される導光体と、
前記導光体内を導光される光を発光する光源と、を備え、
前記導光体は、正面側に配置される前面とその反対側の背面側に配置される後面とを含み、一端部からその反対側の他端部に向かって延びた導光体であり、
前記光源は、前記導光体の一端部から前記導光体内に入光し、前記導光体の他端部に向けて前記導光体内を導光され、前記導光体の前面から出射する光を発光し、
前記導光体は、さらに、当該導光体内を導光され当該導光体の前記他端部に達した前記光源からの光を拡散光として出射する終端部を含む車両用灯具。
【請求項２】
前記導光体は、さらに、当該導光体の一端部に設けられ前記ランプケースに固定される第１固定部と、当該導光体の他端部に設けられ前記ランプケースに固定される第２固定部と、を含み、
前記第２固定部は、前記導光体の他端部から後方に向かって延びており、
前記終端部は、前記導光体の他端部から前方に向かって延びた板状の導光部で、前記ランプケースの内側面が対向する第１面とその反対側の第２面とを含み、
前記導光体の他端部に達した前記光源からの光は、前記終端部内に入光し、当該終端部の先端部に向けて前記終端部内を導光され、
前記第１面は、前記終端部内を導光される前記光源からの光を拡散させて前記第２面から出射させるための複数の構造物を含む請求項１に記載の車両用灯具。
【請求項３】
反射面をさらに備え、
前記反射面は、前記終端部の第１面が対向した状態で配置される請求項１又は２に記載の車両用灯具。
【請求項４】
前記導光体は、正面側に配置される前面とその反対側の背面側に配置される後面とを含む棒状導光部、及び、正面側に配置される前面とその反対側の背面側に配置される後面とを含む板状導光部のうち少なくとも一方を含む請求項１から３のいずれか１項に記載の車両用灯具。
【発明の詳細な説明】
【技術分野】
【０００１】
本発明は、車両用灯具に関し、特に、導光体の他端部で発生する点光りを抑制することができる車両用灯具に関する。
【背景技術】
【０００２】
図１３は、棒状導光部と板状導光部とを含む従来の導光体の正面図である。
【０００３】
従来、図１３に示すように、間隔をあけて並列に配置された２つの棒状導光部１１０Ａ、１１０Ｂと、当該２つの棒状導光部１１０Ａ、１１０Ｂの互いに対向する側面（外周面）同士を連結する板状導光部１２０と、を含む導光体１００を備えた車両用灯具が提案されている（例えば、特許文献１（図１、図２等）参照）。
【０００４】
この特許文献１に記載の車両用灯具においては、各々の棒状導光部１１０Ａ、１１０Ｂの一端部１１１Ａ、１１１Ｂから導光体１００に入光した光源（図示せず）からの光が導光体１００内を導光され、各々の棒状導光部１１０Ａ、１１０Ｂの前面１１２Ａ、１１２Ｂ（外周面のうち前面）及び板状導光部１２０の前面１２１から出射する。これにより、各々の棒状導光部１１０Ａ、１１０Ｂ及び板状導光部１２０が発光する。
【先行技術文献】
【特許文献】
【０００５】
【特許文献１】特開２０１４−１１６１４２号公報
【発明の概要】
【発明が解決しようとする課題】
【０００６】
しかしながら、本発明者らが検討したところ、特許文献１に記載の車両用灯具においては、導光体１００の他端部１０１（例えば、各々の棒状導光部１１０Ａ、１１０Ｂの他端部１１３Ａ、１１３Ｂ）に達した光源からの光により当該導光体１００の他端部１０１で点光りが発生する場合があることが判明した。
【０００７】
本発明は、上記事情に鑑みてなされたものであり、導光体の他端部で発生する点光りを抑制することができる車両用灯具を提供することを目的とする。
【課題を解決するための手段】
【０００８】
上記目的を達成するために、本発明の一つの側面は、ランプケースと、前記ランプケース内に配置される導光体と、前記導光体内を導光される光を発光する光源と、を備え、前記導光体は、正面側に配置される前面とその反対側の背面側に配置される後面とを含み、一端部からその反対側の他端部に向かって延びた導光体であり、前記光源は、前記導光体の一端部から前記導光体内に入光し、前記導光体の他端部に向けて前記導光体内を導光され、前記導光体の前面から出射する光を発光し、前記導光体は、さらに、当該導光体内を導光され当該導光体の前記他端部に達した前記光源からの光を拡散光として出射する終端部を含むことを特徴とする。
【０００９】
この側面によれば、導光体の他端部で発生する点光りを抑制することができる車両用灯具を提供することができる。
【００１０】
これは、点光りの原因となる光、すなわち、導光体の他端部に達した光源からの光が終端部によって拡散されることによるものである。
【００１１】
また、上記発明において、好ましい態様は、前記導光体は、さらに、当該導光体の一端部に設けられ前記ランプケースに固定される第１固定部と、当該導光体の他端部に設けられ前記ランプケースに固定される第２固定部と、を含み、前記第２固定部は、前記導光体の他端部から後方に向かって延びており、前記終端部は、前記導光体の他端部から前方に向かって延びた板状の導光部で、前記ランプケースの内側面が対向する第１面とその反対側の第２面とを含み、前記導光体の他端部に達した前記光源からの光は、前記終端部内に入光し、当該終端部の先端部に向けて前記終端部内を導光され、前記第１面は、前記終端部内を導光される前記光源からの光を拡散させて前記第２面から出射させるための複数の構造物を含むことを特徴とする。
【００１２】
この態様によれば、導光体の他端部（例えば、第２固定部）で発生する点光りを抑制することができる車両用灯具を提供することができる。
【００１３】
また、上記発明において、好ましい態様は、反射面をさらに備え、前記反射面は、前記終端部の第１面が対向した状態で配置されることを特徴とする。
【００１４】
この態様によれば、面発光している終端部の背後で、終端部から後方に漏れ出る光を反射することで発光する反射面が視認される、奥行き感のある立体的な発光見栄えを実現することができる。
【００１５】
また、上記発明において、好ましい態様は、前記導光体は、正面側に配置される前面とその反対側の背面側に配置される後面とを含む棒状導光部、及び、正面側に配置される前面とその反対側の背面側に配置される後面とを含む板状導光部のうち少なくとも一方を含むことを特徴とする。
【００１６】
この態様によれば、導光体（棒状導光部及び板状導光部のうち少なくとも一方を含む導光体）の他端部で発生する点光りを抑制することができる車両用灯具を提供することができる。
【図面の簡単な説明】
【００１７】
【図１】車両用灯具１０の斜視図である。
【図２】車両用灯具１０の正面図である。
【図３】図２のＡ−Ａ断面図である。
【図４】（ａ）図２のＢ−Ｂ断面図、（ｂ）図２のＣ−Ｃ断面図である。
【図５】図２のＤ−Ｄ断面図である（第２導光体４０Ｂ、第１光源モジュール５０Ａ、インナーレンズ６０省略）。
【図６】車両用灯具１０の分解斜視図である。
【図７】（ａ）第１導光体４０Ａの正面図、（ｂ）背面図である。
【図８】棒状導光部４２の変形例の断面図である。
【図９】第１空間Ｓ１ａに第１導光体４０Ａが配置された状態のリフレクタ３０の斜視図である。
【図１０】第２導光体４０Ｂの正面図である。
【図１１】第１光源モジュール５０Ａからの光ＲａｙＡの光路図である。
【図１２】（ａ）図５中、円で囲った範囲のＸＹ平面による断面図、（ｂ）図５中、円で囲った範囲のＹＺ平面による断面図である。
【図１３】棒状導光部と板状導光部とを含む従来の導光体の正面図である。
【発明を実施するための形態】
【００１８】
以下、本発明の実施形態である車両用灯具１０について添付図面を参照しながら説明する。各図において対応する構成要素には同一の符号が付され、重複する説明は省略される。
【００１９】
図１は、車両用灯具１０の斜視図である。
【００２０】
図１に示す車両用灯具１０は、テールランプとして機能する車両用信号灯具である。車両用灯具１０は、自動車等の車両（図示せず）の後端部の左右両側にそれぞれ搭載される。左右両側に搭載される車両用灯具１０は左右対称の構成であるため、以下、代表して、車両の後端部の左側（車両前方に向かって左側）に搭載される車両用灯具１０について説明する。以下、説明の都合上、「前方」とは車両後方の意味で用い、「後方」とは車両前方の意味で用いる。なお、以下、説明の便宜のため、ＸＹＺ軸を定義する。Ｘ軸は車両前後方向に延びており、Ｙ軸は車幅方向に延びており、Ｚ軸は鉛直方向に延びている。
【００２１】
図２は車両用灯具１０の正面図、図３は図２のＡ−Ａ断面図、図４（ａ）図２のＢ−Ｂ断面図、図４（ｂ）は図２のＣ−Ｃ断面図、図５は図２のＤ−Ｄ断面図（第２導光体４０Ｂ、第１光源モジュール５０Ａ、インナーレンズ６０省略）、図６は車両用灯具１０の分解斜視図である。
【００２２】
図２〜図６に示すように、車両用灯具１０は、リフレクタ３０、第１導光体４０Ａ、第２導光体４０Ｂ、第１光源モジュール５０Ａ、第２光源モジュール５０Ｂ、インナーレンズ６０等を備える。車両用灯具１０は、アウターレンズ（図示せず）とハウジング７０（図６参照）とによって構成される灯室内に配置され、ハウジングに固定される。
【００２３】
図２に示すように、車両用灯具１０は、第１〜第３棒状導光部４２Ａ〜４２Ｃを備える。第１〜第３棒状導光部４２Ａ〜４２Ｃはそれぞれ棒状発光領域を形成する。第１〜第３棒状導光部４２Ａ〜４２Ｃはそれぞれ同様の構成である。以下、第１〜第３棒状導光部４２Ａ〜４２Ｃを特に区別しない場合、棒状導光部４２と記載する。
【００２４】
また、車両用灯具１０は、第１〜第５板状導光部４１Ａ〜４１Ｅを備える。第１〜第５板状導光部４１Ａ〜４１Ｅはそれぞれ面状発光領域を形成する。第１〜第５板状導光部４１Ａ〜４１Ｅはそれぞれ同様の構成である。以下、第１〜第５板状導光部４１Ａ〜４１Ｅを特に区別しない場合、板状導光部４１と記載する。
【００２５】
棒状導光部４２（直径）と板状導光部４１（厚さ）との関係は、棒状導光部４２（直径:例えば８ｍｍ）＞板状導光部４２（厚さ:例えば２ｍｍ）である。
【００２６】
図２、図６に示すように、リフレクタ３０は、正面側に曲線部３２ａ１を含むＴ字状の開口端部３２ａを有するランプケースである。リフレクタ３０の材料は、例えば、アクリルやポリカーボネイト等の合成樹脂である。
【００２７】
具体的には、リフレクタ３０は、背面側に配置されたＴ字状の底部３１と、当該Ｔ字状の底部３１の外周縁から前方に向かって延びて正面側に開口端部３２ａを有する壁部３２（図３、図４（ａ）参照）と、底部３１と壁部３２とで取り囲まれて正面側がＴ字状に開口したＴ字状空間Ｓ１と、を含む。
【００２８】
図２に示すように、Ｔ字状空間Ｓ１は、正面視で左に略９０度回転したＴ字状の空間である。Ｔ字状空間Ｓ１は、Ｙ軸方向（本発明の第１方向の一例）に延びた第１空間Ｓ１ａとＺ軸方向（本発明の第２方向の一例）に延びた第２空間Ｓ１ｂとを含む。
【００２９】
リフレクタ３０の開口端部３２ａは、正面視で左に略９０度回転したＴ字状の開口端部で、正面視でＴ字状空間Ｓ１を取り囲んでいる。
【００３０】
図４に示すように、リフレクタ３０は、当該リフレクタ３０の開口端部３２ａから当該リフレクタ３０（壁部３２）との間に空間Ｓ２を保った状態で後方に向かって延びた延長部３３を備える。空間Ｓ２には、第１光源モジュール５０Ａが配置される。
【００３１】
リフレクタ３０の延長部３３は、空間Ｓ２に配置された第１光源モジュール５０Ａが正面側から視認されないように、当該空間Ｓ２に配置された第１光源モジュール５０Ａを覆う。
【００３２】
図９に示すように、リフレクタ３０の壁部３２（内側面）には、複数のローレット３２ｂが設けられる。ローレット３２ｂは、例えば、円柱軸がＸ軸方向に延びたシリンドリカル面（又はシリンドリカル状の面）である。
【００３３】
リフレクタ３０の内側面（Ｔ字状の底部３１及び壁部３２）には、アルミ蒸着を施すことで、反射面が形成される。
【００３４】
以下、Ｔ字状の底部３１に形成された反射面のことを底部反射面３１ａといい、壁部３２（複数のローレット３２ｂ）に形成された反射面のことをローレット反射面３２ｂ１という。
【００３５】
図３、図４に示すように、底部反射面３１ａは、第１導光体４０Ａの背面側に当該第１導光体４０Ａの後面が対向した状態で配置される。また、ローレット反射面３２ｂ１は、第１導光体４０Ａの延長終端部４３の第１面４３ａが空間Ｓ４を挟んで対向した状態で配置される。
【００３６】
底部反射面３１ａは、例えば、第１導光体４０Ａの裏面及び第２導光体４０Ｂの裏面から出射する光を反射する。また、ローレット反射面３２ｂ１は、例えば、第１導光体４０Ａの延長終端部４３から出射する光を反射（拡散）する。延長終端部４３については後述する。
【００３７】
図７（ａ）は第１導光体４０Ａの正面図、図７（ｂ）は背面図である。
【００３８】
図７に示すように、第１導光体４０Ａは、棒状導光部４２（第１棒状導光部４２Ａ、第２棒状導光部４２Ｂ）、板状導光部４１（第１板状導光部４１Ａ、第２板状導光部４１Ｂ、第３板状導光部４１Ｃ）を含む。第１導光体４０Ａの材料は、例えば、アクリルやポリカーボネイト等の透明樹脂である。
【００３９】
第１棒状導光部４２Ａ、第２棒状導光部４２Ｂは、間隔をあけて並列に配置されている。
【００４０】
棒状導光部４２（第１及び第２棒状導光部４２Ａ、４２Ｂ）は、正面側に配置される前面４２ａ（図７（ａ）参照）とその反対側の背面側に配置される後面４２ｂ（図７（ｂ）参照）とを含み、図７（ａ）に示すように、一端部４２ｃ（以下、左端部４２ｃともいう）から他端部４２ｄ（以下、右端部４２ｄともいう）に向かって概ねＹ軸方向に延びた長尺の棒状導光部である。
【００４１】
図３に示すように、棒状導光部４２のＹ軸方向に直交する平面（図３中ＸＺ平面）による断面形状は、前面４２ａと後面４２ｂ（一対の側面４２ｂ１及び最後面４２ｂ２）とで囲まれた概ね銀杏形状に構成されている。具体的には、次のように構成されている。
【００４２】
棒状導光部４２の前面４２ａは、当該棒状導光部４２の長手方向に直交する平面（図３中ＸＺ平面）による断面形状が正面側（図３中右側）に向かって凸の円弧形状となる曲面、例えば、円柱軸がＹ軸方向に延びたシリンドリカル面である。
【００４３】
棒状導光部４２の前面４２ａには、当該前面４２ａから出射する光を制御してテールランプの配光規格を満たすように、レンズカットが施される。なお、レンズカットを施さなくてもテールランプの配光規格を満たす場合、レンズカットは省略してもよい。
【００４４】
棒状導光部４２の後面４２ｂは、当該棒状導光部４２の長手方向に直交する平面（図３中ＸＺ平面）による断面形状が棒状導光部４２内部に向かって凸で背面側（図３中左側）に向かうに従って間隔が狭くなるように配置された一対の円弧形状となる一対の側面４２ｂ１と、当該棒状導光部４２の長手方向に直交する平面による断面形状が一対の円弧形状の端部（図３中左端部）同士を連結する直線形状となるように一対の側面４２ｂ１同士を連結する最後面４２ｂ２と、を含む。
【００４５】
図７（ｂ）に示すように、棒状導光部４２の後面４２ｂ（最後面４２ｂ２）は、第１導光体４０Ａ内を導光される第１光源モジュール５０Ａからの光を拡散させて棒状導光部４２の前面４２ａから出射させるための複数の第１構造物ＬＣ１を含む。第１構造物ＬＣ１は、例えば、Ｖ溝等のレンズカットである。
【００４６】
なお、棒状導光部４２の左端面４２ｃ１（入光面）から棒状導光部４２内に入光した第１光源モジュール５０Ａからの光ＲａｙＡ（図４（ｂ）参照）は棒状導光部４２の左端面４２ｃ１（入光面）から遠くなるに従って減少するが、例えば、第１光源モジュール５０Ａから遠くなるに従って第１構造物ＬＣ１の数（密度）を増やすことで、棒状導光部４２を均一（又は略均一）に発光させることができる。
【００４７】
図７（ａ）に示すように、棒状導光部４２の左端部４２ｃは、板状導光部４１の左端部から突出している。棒状導光部４２の左端面４２ｃ１（入光面）は、例えば、ＸＺ平面に対して平行な平面である。棒状導光部４２の右端部４２ｄは、板状導光部４１の右端部まで延びている。
【００４８】
図８は、棒状導光部４２の変形例の断面図である。
【００４９】
断面形状が概ね銀杏形状の棒状導光部４２に代えて、図８に示すように、断面形状が円形状の一般的な棒状導光部を用いてもよいが、断面形状が概ね銀杏形状の棒状導光部４２を用いることで、断面形状が円形状の一般的な棒状導光部を用いる場合と比べ、棒状導光部４２をより明るく発光させることができる。
【００５０】
板状導光部４１は、正面側に配置される前面４１ａ（図７（ａ）参照）とその反対側の背面側に配置される後面４１ｂ（図７（ｂ）参照）とを含む板状の導光部である。図３に示すように、板状導光部４１の前面４１ａ及び後面４１ｂは、それぞれ、平面又は平面形状の面で、互いに平行に配置されている。
【００５１】
板状導光部４１の前面４１ａには、当該前面４１ａから出射する光を制御してテールランプの配光規格を満たすように、レンズカットが施される。なお、レンズカットを施さなくてもテールランプの配光規格を満たす場合、レンズカットは省略してもよい。
【００５２】
図７に示すように、第１板状導光部４１Ａは、第１棒状導光部４２Ａの外周面に連結された一端縁４１Ａｃと、その反対側の他端縁４１Ａｄ（外周縁）と、を含む。
【００５３】
図２に示すように、第１板状導光部４１Ａの他端縁４１Ａｄ（少なくとも一部）は、正面視でリフレクタ３０の開口端部３２ａとの間に均一（又は略均一）な隙間（例えば、図２中の符号Ｌ１が示す隙間参照）を保った状態でリフレクタ３０の開口端部３２ａに沿って延びている。
【００５４】
図７に示すように、第２板状導光部４１Ｂは、第１棒状導光部４２Ａの外周面に連結された一端縁４１Ｂｃと、第２棒状導光部４２Ｂの外周面に連結された他端縁４１Ｂｄと、を含む。
【００５５】
第３板状導光部４１Ｃは、第２棒状導光部４２Ｂの外周面に連結された一端縁４１Ｃｃと、その反対側の他端縁４１Ｃｄ（外周縁）と、を含む。
【００５６】
図２に示すように、第３板状導光部４１Ｃの他端縁４１Ｃｄ（少なくとも一部）は、正面視でリフレクタ３０の開口端部３２ａとの間に均一（又は略均一）な隙間（例えば、図２中の符号Ｌ２が示す隙間参照）を保った状態でリフレクタ３０の開口端部３２ａに沿って延びている。
【００５７】
図７（ｂ）に示すように、板状導光部４１の後面４１ｂは、第１導光体４０Ａ内を導光される第１光源モジュール５０Ａからの光を拡散させて板状導光部４１の前面４１ａから出射させるための複数の第２構造物ＬＣ２を含む。第２構造物ＬＣ２は、例えば、Ｖ溝等のレンズカットである。
【００５８】
なお、棒状導光部４２の左端面４２ｃ１（入光面）から棒状導光部４２内に入光した第１光源モジュール５０Ａからの光ＲａｙＡ（図４（ｂ）参照）は棒状導光部４２の左端面４２ｃ１（入光面）から遠くなるに従って減少するが、例えば、第１光源モジュール５０Ａから遠くなるに従って第２構造物ＬＣ２の数（密度）を増やすことで、板状導光部４１を均一（又は略均一）に発光させることができる。
【００５９】
図７（ａ）に示すように、第１導光体４０Ａの板状導光部４１は、第１導光体４０Ａをリフレクタ３０に固定するために、リフレクタ３０に形成された開口Ｈ１周囲が係合する第１係合部４４ａ（例えば、溝部。図４（ａ）参照）を備える。第１係合部４４ａは、第２板状導光部４１Ｂの左端部から左側に延びた第１固定部４４に設けられる。
【００６０】
また、図５に示すように、第１導光体４０Ａの板状導光部４１は、第１導光体４０Ａをリフレクタ３０に固定するために、リフレクタ３０に設けられた爪部３４（図５、図６参照）が係合する第２係合部４５ａ（例えば、開口部）を備える。第２係合部４５ａは、板状導光部４１の右端部から後方に向かって延びた第２固定部４５（図７（ｂ）参照）に設けられる。
【００６１】
本発明者らが検討したところ、第２固定部４５を設けた場合、第１導光体４０Ａの右端部（例えば、棒状導光部４２（第１及び第２棒状導光部４２Ａ、４２Ｂ）の右端部４２ｄ）に達した第１光源モジュール５０Ａからの光により当該第１導光体４０Ａの右端部（例えば、第２固定部４５）で点光りが発生することが判明した。また、第１導光体４０Ａ内を導光される第１光源モジュール５０Ａからの光が当該板状導光部４１の右端部から直接出射してリフレクタ３０の壁部３２（ローレット反射面３２ｂ１）で反射されることに起因し、点光りが発生する場合もある。
【００６２】
この点光りを抑制するため、図４（ｂ）に示すように、第１導光体４０Ａ（板状導光部４１）は、当該第１導光体４０Ａ内を導光され当該第１導光体４０Ａの右端部に達した第１光源モジュール５０Ａからの光ＲａｙＡを拡散光として出射する延長終端部４３を含む。延長終端部４３は、本発明の終端部の一例である。
【００６３】
延長終端部４３は、板状導光部４１の右端部４２ｄから前方に向かって延びた板状の導光部で、リフレクタ３０の壁部３２（ローレット反射面３２ｂ１）が対向する第１面４３ａとその反対側の第２面４３ｂとを含む。第１面４３ａは、延長終端部４３内を導光される第１光源モジュール５０Ａからの光ＲａｙＡを拡散させて第２面４３ｂから出射させるための複数の第３構造物ＬＣ３を含む（図１２（ａ）参照）。第３構造物ＬＣ３は、例えば、Ｖ溝等のレンズカットである。
【００６４】
延長終端部４３は、板状導光部４１の右端部４２ｄに達した第１光源モジュール５０Ａからの光が全反射されて当該延長終端部４３内に入光するように、板状導光部４１に対して角度θ（図４（ａ）参照）傾斜した方向に延びている。
【００６５】
上記構成の第１導光体４０Ａは、第１固定部４４及び第２固定部４５をリフレクタ３０に固定することで、リフレクタ３０の第１空間Ｓ１ａに配置される。
【００６６】
具体的には、第１導光体４０Ａは、図４（ａ）に示すように、第１固定部４４に設けられた第１係合部４４ａ（例えば、溝部）にリフレクタ３０に形成された開口Ｈ１周囲を係合させ、かつ、図５に示すように、第２固定部４５に設けられた第２係合部４５ａ（例えば、開口部）にリフレクタ３０に設けられた爪部３４を係合させる。
【００６７】
これにより、図２に示すように、第１導光体４０Ａは、第１導光体４０Ａの棒状導光部４２が延びている方向がＹ軸方向に一致した状態で、リフレクタ３０の第１空間Ｓ１ａに配置される。
【００６８】
その際、図４（ａ）に示すように、第１導光体４０Ａの後面から後方に向かって延びたリブ４６（図４（ａ）中、２箇所を例示）がリフレクタ３０の底部３１に突き当たるため、第１導光体４０Ａの後面は、空間Ｓ３を挟んだ状態でリフレクタ３０の底部反射面３１ａと対向する。また、延長終端部４３も、空間Ｓ４を挟んだ状態でリフレクタ３０のローレット反射面３２ｂ１と対向する。図９は、第１空間Ｓ１ａに第１導光体４０Ａが配置された状態のリフレクタ３０の斜視図である。
【００６９】
図６に示すように、第１光源モジュール５０Ａは、第１光源５１ａと、第２光源５１ｂと、第１及び第２光源５１ａ、５１ｂが実装された第１基板５２Ａと、を備える。第２光源モジュール５０Ｂは、第３光源５１ｃと、第３光源５１ｃが実装された第２基板５２Ｂと、を備える。
【００７０】
第１〜第３光源５１ａ〜５１ｃはそれぞれ同様の構成である。以下、第１〜第３光源５１ａ〜５１ｃを特に区別しない場合、光源５１と記載する。
【００７１】
光源５１は、例えば、赤色光を発光するＬＥＤ等の半導体発光素子である。
【００７２】
図４（ａ）に示すように、第１光源モジュール５０Ａは、第１導光体４０Ａ（第１固定部４４）に固定される。
【００７３】
具体的には、第１基板５２Ａは、当該第１基板５２Ａに形成された貫通穴５３Ａに第１導光体４０Ａの第１固定部４４を挿入（例えば、嵌合）し、当該第１基板５２Ａに形成された貫通穴５３Ａの周囲を第１固定部４４に形成された溝部４４ｂに係合させる。
【００７４】
これにより、図４（ｂ）に示すように、第１光源モジュール５０Ａは、第１基板５２Ａに実装された光源５１が第１導光体４０Ａの棒状導光部４２の左端部４２ｃ（左端面４２ｃ１）に対向した状態で、第１導光体４０Ａ（第１固定部４４）に固定される。
【００７５】
図１０は、第２導光体４０Ｂの正面図である。
【００７６】
図１０に示すように、第２導光体４０Ｂは、棒状導光部４２（第３棒状導光部４２Ｃ）、板状導光部４１（第４板状導光部４１Ｄ、第５板状導光部４１Ｅ）を含む。第２導光体４０Ｂの材料は、例えば、アクリルやポリカーボネイト等の透明樹脂である。
【００７７】
棒状導光部４２（第３棒状導光部４２Ｃ）は、正面側に配置される前面４２ａ（図４、図１０参照）とその反対側の背面側に配置される後面４２ｂ（図４参照）とを含み、一端部４２ｃ（以下、上端部４２ｃともいう）から他端部４２ｄ（以下、下端部４２ｄともいう）に向かって概ねＺ軸方向に延びた長尺の棒状導光部である。棒状導光部の下端部４２ｄは、板状導光部４１の下端部まで延びている。
【００７８】
第２導光体４０Ｂ（第３棒状導光部４２Ｃ）の下端部（終端部）には、丸みがつけられている。例えば、第２導光体４０Ｂ（第３棒状導光部４２Ｃ）の下端面４２ｄ１は、凸円弧状（例えば、下方に向かって凸の凸面）である。これにより、光の直進性が抑制され、拡散効果が向上する。その結果、点光り（例えば、第２導光体４０Ｂ内を導光される第２光源モジュール５０Ｂからの光が第２導光体４０Ｂの下端部から直接出射してリフレクタ３０の壁部３２（ローレット反射面３２ｂ１）で反射されることに起因する点光り）が低減される。なお、点光りを抑制するため、第１導光体４０Ａと同様、第２導光体４０Ｂ（第３棒状導光部４２Ｃ）の下端部に延長終端部４３を設けてもよい。
【００７９】
図１０に示すように、第４板状導光部４１Ｄは、第３棒状導光部４２Ｃの外周面に連結された一端縁４１Ｄｃと、その反対側の他端縁４１Ｄｄ（外周縁）と、を含む。
【００８０】
図２に示すように、第４板状導光部４１Ｄの他端縁４１Ｄｄ（少なくとも一部）は、正面視でリフレクタ３０の開口端部３２ａとの間に均一（又は略均一）な隙間（例えば、図２中の符号Ｌ３が示す隙間参照）を保った状態でリフレクタ３０の開口端部３２ａに沿って延びている。
【００８１】
図１０に示すように、第５板状導光部４１Ｅは、第３棒状導光部４２Ｃの外周面に連結された一端縁４１Ｅｃと、その反対側の他端縁４１Ｅｄ（外周縁）と、を含む。
【００８２】
図２に示すように、第５板状導光部４１Ｅの他端縁４１Ｅｄ（少なくとも一部）は、正面視でリフレクタ３０の開口端部３２ａとの間に均一（又は略均一）な隙間（例えば、図２中の符号Ｌ４、Ｌ５が示す隙間参照）を保った状態でリフレクタ３０の開口端部３２ａに沿って延びている。
【００８３】
図１０に示すように、第２導光体４０Ｂの板状導光部４１は、第１導光体４０Ａをリフレクタ３０に固定するために、板状導光部４１の上端部に設けられた第３固定部４７と、板状導光部４１の下端部に設けられた第４固定部（図示せず）と、を含む。
【００８４】
上記構成の第２導光体４０Ｂは、第３固定部４７及び第４固定部をリフレクタ３０に固定することで、図２に示すように、第２導光体４０Ｂの棒状導光部４２が延びている方向がＺ軸方向に一致した状態で、リフレクタ３０の第２空間Ｓ１ｂに配置される。
【００８５】
その際、図４（ａ）に示すように、第２導光体４０Ｂの後面は、第１導光体４０Ａを挟んだ状態でリフレクタ３０の底部反射面３１ａと対向する。
【００８６】
第２光源モジュール５０Ｂは、第２導光体４０Ｂ（第３固定部４７）に固定される。
【００８７】
具体的には、図示しないが、第２光源モジュール５０Ｂは、第１光源モジュール５０Ａと同様、第２基板５２Ｂに実装された光源５１が第２導光体４０Ｂの棒状導光部４２の上端部４２ｃ（上端面４２ｃ１）に対向した状態で、第２導光体４０Ｂ（第３固定部４７）に固定される。
【００８８】
図４に示すように、上記のように第１及び第２導光体４０Ａ、４０Ｂが固定されたリフレクタ３０には、インナーレンズ６０が溶着される。
【００８９】
インナーレンズ６０は、外形がリフレクタ３０のＴ字状の開口端部３２ａと同一形状のレンズ本体６１（図６参照）と、その裏面の外周部全周に設けられた脚部６２（図４（ａ）参照）と、を含む。
【００９０】
図４（ａ）に示すように、インナーレンズ６０は、脚部６２とリフレクタ３０の開口端部３２ａとを突き合わせ、全周に渡って溶着することで、リフレクタ３０との間に灯室（Ｔ字状空間Ｓ１）を構成する。
【００９１】
上記構成の車両用灯具１０においては、第１光源モジュール５０Ａ及び第２光源モジュール５０Ｂそれぞれの光源５１を点灯することでテールランプが実現される。
【００９２】
すなわち、第１光源モジュール５０Ａの光源５１を点灯すると、図４（ｂ）に示すように、第１光源モジュール５０Ａの光源５１からの光ＲａｙＡは、第１導光体４０Ａの棒状導光部４２の左端面４２ｃ１（入光面）から棒状導光部４２に入光し、第１導光体４０Ａ内で内面反射（全反射）を繰り返しつつ第１導光体４０Ａの左端部から右端部に向けて第１導光体４０Ａ内を導光され、図１１に示すように、一部が第１構造物ＬＣ１で内面反射（拡散反射）されて棒状導光部４２の前面４２ａから出射し（図１１中の符号ＲａｙＡ１が表す光参照）、他の一部が第２構造物ＬＣ２で内面反射（拡散反射）されて板状導光部４１の前面４１ａから出射する（図１１中の符号ＲａｙＡ２が表す光参照）。図１１は、第１光源モジュール５０Ａからの光ＲａｙＡの光路図である。
【００９３】
図１２（ａ）は図５中、円で囲った範囲のＸＹ平面による断面図、図１２（ｂ）は図５中、円で囲った範囲のＹＺ平面による断面図である。図１２に示すように、第１導光体４０Ａ内を導光され、板状導光部４１の右端部に達した第１光源モジュール５０Ａからの光ＲａｙＡは、延長終端部４３に入光し、延長終端部４３内で内面反射（全反射）を繰り返しつつ延長終端部４３の先端部に向けて延長終端部４３内を導光される。そして、一部が第３構造物ＬＣ３で内面反射されて延長終端部４３の第２面４３ｂから出射し、他の一部が第１面４３ａから出射し、さらに、リフレクタ３０の壁部３２（ローレット反射面３２ｂ１）で反射（拡散反射）され、延長終端部４３を透過する。
【００９４】
このように、板状導光部４１の右端部４２ｄに達した第１光源モジュール５０Ａからの光ＲａｙＡが延長終端部４３（及びローレット反射面３２ｂ１）によって拡散されるため、第１導光体４０Ａの他端部（例えば、第２固定部４５）で発生する点光りが抑制される。
【００９５】
また、第２光源モジュール５０Ｂの光源５１を点灯すると、図示しないが、第２光源モジュール５０Ｂの光源５１からの光は、第２導光体４０Ｂの棒状導光部４２の上端面４２ｃ１（入光面）から棒状導光部４２に入光し、第２導光体４０Ｂ内で内面反射（全反射）を繰り返しつつ第２導光体４０Ｂの上端部から下端部に向けて第２導光体４０Ｂ内を導光され、一部が第１構造物ＬＣ１で内面反射（拡散反射）されて棒状導光部４２の前面４２ａから出射し、他の一部が第２構造物ＬＣ２で内面反射（拡散反射）されて板状導光部４１の前面４１ａから出射する。
【００９６】
以上のように、第１導光体４０Ａの棒状導光部４２の前面４２ａ及び板状導光部４１の前面４１ａそれぞれから出射する第１光源モジュール５０Ａからの光、並びに、第２導光体４０Ｂの棒状導光部４２の前面４２ａ及び板状導光部４１の前面４１ａそれぞれから出射する第２光源モジュール５０Ｂからの光によりテールランプ用配光パターンが形成される。
【００９７】
また、上記のように第１光源モジュール５０Ａからの光が第１導光体４０Ａの棒状導光部４２の前面４２ａから出射し、かつ、第２光源モジュール５０Ｂからの光が第２導光体４０Ｂの棒状導光部４２の前面４２ａから出射することで、棒状導光部４２（第１〜第３板状導光部４２Ａ〜４２Ｃ）が均一又は略均一に発光（線発光）する。すなわち、棒状発光領域が形成される。また、板状導光部４１の右端部４２ｄに達した第１光源モジュール５０Ａからの光ＲａｙＡが延長終端部４３から出射することで、延長終端部４３が均一又は略均一に発光（面発光）する。
【００９８】
また、上記のように第１光源モジュール５０Ａからの光が第１導光体４０Ａの板状導光部４１の前面４１ａから出射し、かつ、第２光源モジュール５０Ｂからの光が第２導光体４０Ｂの板状導光部４１の前面４１ａから出射することで、板状導光部４１（第１〜第５板状導光部４１Ａ〜４１Ｅ）が均一又は略均一に発光（面発光）する。すなわち、板状発光領域が形成される。
【００９９】
棒状導光部４２（棒状発光領域）は、板状導光部４１（板状発光領域）より相対的に明るく発光する。これは、光源５１の光軸と棒状導光部４２の延びている方向とが概ね一致しているため、棒状導光部４２内においては相対的に強度が強い光（例えば、半値角内の光）が導光されるのに対して、板状導光部４１内においては相対的に強度が弱い光が導光されることによるものである。
【０１００】
このため、板状発光領域（面発光）の中に棒状発光領域（線発光）が浮かび上がる極めて意匠性の高い発光見栄えを実現することができる。
【０１０１】
以上説明したように、本実施形態によれば、第１導光体４０Ａの他端部（例えば、第２固定部４５）で発生する点光りを抑制することができる車両用灯具１０を提供することができる。
【０１０２】
これは、点光りの原因となる光、すなわち、第１導光体４０Ａの他端部に達した第１光源モジュール５０Ａからの光が延長終端部４３によって拡散されることによるものである。
【０１０３】
また、本実施形態によれば、面発光している延長終端部４３の背後で、延長終端部４３から後方に漏れ出る光を反射することで発光するローレット反射面３２ｂ１が視認される、奥行き感のある立体的な発光見栄えを実現することができる。
【０１０４】
また、本実施形態によれば、第１及び第２導光体４０Ａ、４０Ｂの外周縁とリフレクタ３０（ランプケース）の開口端部３２ａとの間の隙間（図２中の符号Ｌ１〜Ｌ５が示す隙間参照）が不均一となるのを抑制し、かつ、棒状導光部４２及び板状導光部４１それぞれを均一（又は略均一）に発光させることができる車両用灯具１０を提供することができる。
【０１０５】
これは、図２に示すように、第１及び第２導光体４０Ａ、４０Ｂの外周縁が棒状導光部４２ではなく板状導光部４１の他端縁４１Ａｄ〜４１Ｅｄであること、そして、当該板状導光部４１の他端縁４１Ａｄ〜４１Ｅｄがリフレクタ３０の開口端部３２ａに沿って延びていること、によるものである。
【０１０６】
また、本実施形態によれば、断面形状が概ね銀杏形状の棒状導光部４２を用いているため、断面形状が円形状（図８参照）の一般的な棒状導光部を用いる場合と比べ、棒状導光部４２をより明るく発光させることができる。
【０１０７】
また、本実施形態によれば、面発光（板状導光部４１）及び線発光（棒状導光部４２）している第１及び第２導光体４０Ａ、４０Ｂの背後で、第１及び第２導光体４０Ａ、４０Ｂから後方に漏れ出る光を反射することで発光する底部反射面３１ａが視認される、奥行き感のある立体的な発光見栄えを実現することができる。
【０１０８】
また、本実施形態によれば、第１導光体４０Ａと第２導光体４０Ｂとが重なった箇所が相対的に明るい新規発光見栄えを実現することができる。例えば、図２に示すように、正面視で、第１導光体４０Ａと第２導光体４０Ｂとが重なっている場合、棒状導光部４２同士が重なった箇所（図２中符号Ｃ１、Ｃ２が示す箇所参照）が最も明るく、棒状導光部４２と板状導光部４１とが重なった箇所（図２中符号Ｃ３〜Ｃ６が示す箇所参照）、板状導光部４１同士が重なった箇所（図２中符号Ｃ７〜Ｃ９が示す箇所参照）符号Ｃ１〜Ｃ９以外の箇所がこの順に暗くなる、つまり、明るさがグラデーション状に変化する、奥行き感のある立体的な新規発光見栄えを実現することができる。
【０１０９】
また、本実施形態によれば、光源５１が実装された基板５２Ａ、５２Ｂを導光体４０Ａ、４０Ｂ自体に固定することができるため（図４参照）、光源５１を導光体４０Ａ、４０Ｂ以外のハウジング等に固定する場合と比べ、光源５１の棒状導光部４２の一端面４２ｃ１に対する位置決めを精度良く行うことができる。
【０１１０】
また、本実施形態によれば、第１光源モジュール５０Ａがリフレクタ３０の延長部３３で覆われる形となるため（図４参照）、第１光源モジュール５０Ａ（光源５１が実装された第１基板５２Ａ）が正面側から視認されるのを防止することができる。
【０１１１】
次に、変形例について説明する。
【０１１２】
上記実施形態では、本発明の車両用灯具をテールランプに適用した例について説明したが、これに限らない。例えば、ストップッランプ、ポジションランプ、ターンランプ、バックランプ、ＤＲＬ（Daytime Running Lamps）ランプにも本発明の車両用灯具を適用してもよい。
【０１１３】
また、上記実施形態では、ランプケースとして、正面側に曲線部３２ａ１を含むＴ字状の開口端部３２ａを有するリフレクタ３０を用いた例について説明したが、これに限らない。すなわち、ランプケースは、開口端部を有するものであればどのようなものであってもよく、曲線部３２ａ１のみを含む開口端部を有するものであってもよいし、直線部のみを含む開口端部を有するものであってもよい。また、ランプケースの開口端部は、Ｔ字状の開口端部３２ａに限らず、どのような形状の開口端部であってもよい。
【０１１４】
また、上記実施形態では、第１導光体４０Ａとして、板状導光部４１Ａ、４１Ｃを用いた例について説明したが、これに限らない。例えば、第１導光体４０Ａとして、板状導光部４１Ａ、４１Ｃの少なくとも一方を省略したものを用いてもよい。同様に、第２導光体４０Ｂとして、板状導光部４１Ｄ、４１Ｅの少なくとも一方を省略したものを用いてもよい。また、第１導光体４０Ａとして、板状導光部４１を省略し棒状導光部４２のみを用いてもよいし、逆に、棒状導光部４２を省略し板状導光部４１のみ用いてもよい。同様に、第２導光体４０Ｂとして、板状導光部４１を省略し棒状導光部４２のみを用いてもよいし、逆に、棒状導光部４２を省略し板状導光部４１のみ用いてもよい。
【０１１５】
また、上記実施形態では、底部反射面３１ａ、ローレット反射面３２ｂ１を用いた例について説明したが、これに限らない。例えば、底部反射面３１ａ、ローレット反射面３２ｂ１は省略してもよい。
【０１１６】
上記各実施形態で示した各数値は全て例示であり、これと異なる適宜の数値を用いることができるのは無論である。
【０１１７】
上記各実施形態はあらゆる点で単なる例示にすぎない。上記各実施形態の記載によって本発明は限定的に解釈されるものではない。本発明はその精神または主要な特徴から逸脱することなく他の様々な形で実施することができる。
【符号の説明】
【０１１８】
１０…車両用灯具、３０…リフレクタ、３１…底部、３１ａ…底部反射面、３２…壁部、３２ａ…開口端部、３２ａ１…曲線部、３２ｂ…ローレット、３２ｂ１…ローレット反射面、３３…延長部、３４…爪部、４０Ａ…第１導光体、４０Ｂ…第２導光体、４１（４１Ａ〜４１Ｅ）…板状導光部、４１Ａｃ〜４１Ｅｃ…一端縁、４１Ａｄ〜４１Ｅｄ…他端縁、４１ａ…前面、４１ｂ…後面、４２（４２Ａ〜４２Ｃ）…棒状導光部、４２ａ…前面、４２ｂ…後面、４２ｂ１…側面、４２ｂ２…最後面、４３…延長終端部、４３ａ…面、４３ｂ…面、４４…第１固定部、４４ａ…第１係合部、４４ｂ…溝部、４５…第２固定部、４５ａ…第２係合部、４６…リブ、４７…第３固定部、５０Ａ…第１光源モジュール、５０Ｂ…第２光源モジュール、５１…光源、５２Ａ…第１基板、５２Ｂ…第２基板、５３Ａ…貫通穴、６０…インナーレンズ、６１…レンズ本体、６２…脚部、ＬＣ１…第１構造物、ＬＣ２…第２構造物、Ｓ１…Ｔ字状空間、Ｓ１ａ…第１空間、Ｓ１ｂ…第２空間、Ｓ２…空間、Ｓ３…空間、θ…角度
【図１】
2020068111.tif 000003
【図２】
2020068111.tif 000004
【図３】
2020068111.tif 000005
【図４】
2020068111.tif 000006
【図５】
2020068111.tif 000007
【図６】
2020068111.tif 000008
【図７】
2020068111.tif 000009
【図８】
2020068111.tif 000010
【図９】
2020068111.tif 000011
【図１０】
2020068111.tif 000012
【図１１】
2020068111.tif 000013
【図１２】
2020068111.tif 000014
【図１３】
2020068111.tif 000015